(57)【要約】【課題】気密性・断熱性を向上させるとともに、壁内結露の発生を防止する壁構造を提供する【解決手段】壁１は、外気に面する外壁材４と、外壁材４の内側に面して設けられた断熱材５と、断熱材５の室内側に設けられた第一内装材である壁面石膏ボード６と、壁面石膏ボード６のさらに室内側に設けられた内装ボード７とから構成されている。断熱材５と壁面石膏ボード６との間には、エアバリア８が張り巡らされている。壁面石膏ボード６と内装ボード７との間は、数センチ程度の幅を有する空間となっている。内装ボード７の天井石膏ボード９近傍と、フローリング１１近傍には、それぞれ通気孔１４，１５が設けられ、壁面石膏ボード６と内装ボード７との間の空間は室内と通気される通気層１６となっている。また、通気孔１４を目隠しするように廻り縁１７が配設され、通気孔１５を目隠しするように巾木１９が配設されている。【選択図】  図２
2004300709.tif 000002
【特許請求の範囲】
【請求項１】
外壁材及びその外壁材の内側に設けられた断熱材の内側に配設される建造物の壁構造であって、
前記断熱材の室内側に配設されたエアバリアと、
当該エアバリアの室内側に配設された第一内装材と、
当該第一内装材の室内側に所定間隔をおいて配設された第二内装材と、
当該第二内装材の上端部近傍に設けられた上部通気孔と、
前記第二内装材の下端部近傍に設けられた下部通気孔と、
前記第二内装材の室内側上部に配設され、通気を妨げることなく前記上部通気孔を覆う上部装飾部材と、
前記第二内装材の室内側下部に配設され、通気を妨げることなく前記下部通気孔を覆う下部装飾部材とを備え、
前記第一内装材と前記第二内装材との間は、前記上部通気孔及び前記下部通気孔を通じて室内と連通する通気層となっていることを特徴とする建造物の壁構造。
【請求項２】
前記上部装飾部材は、前記上部通気孔及び室内に連通する通気溝を備えた廻り縁であり、前記下部装飾部材は、前記下部通気孔及び室内に連通する通気溝を備えた巾木であることを特徴とする請求項１に記載の建造物の壁構造。
【請求項３】
前記上部装飾部材又は前記下部装飾部材のうち一方は、前記上部通気孔又は前記下部通気孔のうち対応する通気孔及び室内に連通する通気溝を備え、他方は、前記上部通気孔又は前記下部通気孔のうち対応する通気孔には連通するが、室内には連通しない通気溝を有し、当該通気溝は、室内空気を吸気して屋外に排気する換気装置に接続していることを特徴とする請求項１に記載の建造物の壁構造。
【発明の詳細な説明】
【０００１】
【発明の属する技術分野】
本発明は、木造住宅等の建造物の壁構造に関するものである。
【０００２】
【従来の技術】
現在建てられている一般的な住宅では、省エネルギーの必要性に加え、冬は暖かく夏は涼しいといった快適な室内環境を求め、高気密・高断熱化が進んでいる。
【０００３】
まず、第一次オイルショックの後、省エネルギーを目的として壁に断熱材が施されたが、冬期に室内暖房が行なわれると、室内と屋外とにの温度差による圧力差が生じ、室内の水蒸気を多く含んだ空気が壁体内に入り込み、断熱材を通過する過程で温度低下により壁内結露を発生する問題を生じた。
【０００４】
この問題を解決するために、壁内の室内側面に水蒸気を通さない防湿シートが設けられるようになった。また、壁の外装材側に通気層用の空間を設け、水蒸気をその通気層から屋外に放出させることも行なわれた。そして、この通気層から外気や雨水が屋内に浸入しないように、通気層の室内側に透湿防水シートを設けることも行なわれた。
【０００５】
また、壁の外装材側に通気層を設けず、断熱材と内装材との間に通気層を設け、この通気層から室内空気を室外に排気するように構成したものもある（例えば、特許文献１参照）。
【０００６】
【特許文献１】
特開平１１−８１５０９号公報
【０００７】
【発明が解決しようとする課題】
しかしながら、上記のような、断熱材の両側に防湿シート・透湿防水シートを設けた従来の高気密・高断熱住宅では、実際には施工上のミスや、材料の経年劣化、住居者の装飾による破損、気密施工が不十分にならざるを得ない躯体の収まり形状がある等の理由により、気密性が低下している場合が多く見受けられる。
【０００８】
本発明は、上述の問題点を解決するためになされたものであり、特に既存住宅に対して気密性・断熱性を向上させるとともに、壁内結露の発生を防止する壁構造を提供することを目的とする。
【０００９】
【課題を解決するための手段】
上記目的を達成するために、請求項１に記載の建造物の壁構造は、外壁材及びその外壁材の内側に設けられた断熱材の内側に配設される建造物の壁構造であって、前記断熱材の室内側に配設されたエアバリアと、当該エアバリアの室内側に配設された第一内装材と、当該第一内装材の室内側に所定間隔をおいて配設された第二内装材と、当該第二内装材の上端部近傍に設けられた上部通気孔と、前記第二内装材の下端部近傍に設けられた下部通気孔と、前記第二内装材の室内側上部に配設され、通気を妨げることなく前記上部通気孔を覆う上部装飾部材と、前記第二内装材の室内側下部に配設され、通気を妨げることなく前記下部通気孔を覆う下部装飾部材とを備え、前記第一内装材と前記第二内装材との間は、前記上部通気孔及び前記下部通気孔を通じて室内と連通する通気層となっていることを特徴とする。
【００１０】
この構成の建造物の壁構造では、エアバリアにより断熱材の室内側は気密に保たれている。また、第一内装材と第二内装材との間の空間は、第二内装材に設けられた上部通気孔と下部通気孔によって室内に連通し、通気層となっている。そして、上部・下部の各通気孔は、装飾部材によって目隠しされ、視覚的に自然に構成されている。
【００１１】
請求項２に記載の建造物の壁構造は、請求項１に記載の発明の構成に加え、前記上部装飾部材は、前記上部通気孔及び室内に連通する通気溝を備えた廻り縁であり、前記下部装飾部材は、前記下部通気孔及び室内に連通する通気溝を備えた巾木であることを特徴とする。
【００１２】
この構成の建造物の壁構造では、請求項１に記載の発明の作用に加え、上下の通気孔を目隠しする装飾部材に、周知の廻り縁と巾木を用い、これらに通気孔及び室内と連通する通気溝を備えたので、さらに自然に、かつ使用部材の点数を増やすことなく室内との通気が実現される。
【００１３】
請求項３に記載の建造物の壁構造は、請求項１に記載の発明の構成に加え、前記上部装飾部材又は前記下部装飾部材のうち一方は、前記上部通気孔又は前記下部通気孔のうち対応する通気孔及び室内に連通する通気溝を備え、他方は、前記上部通気孔又は前記下部通気孔のうち対応する通気孔には連通するが、室内には連通しない通気溝を有し、当該通気溝は、室内空気を吸気して屋外に排気する換気装置に接続していることを特徴とする。
【００１４】
この構成の建造物の壁構造では、請求項１に記載の発明の作用に加え、一方の通気孔が室内に連通するとともに、他方が換気装置に接続され、室内の空気が計画的に換気される。
【００１５】
【発明の実施の形態】
以下、本発明の実施の形態について、図面を参照して説明する。図１は、本発明を適用した壁構造を有する住宅１００の屋根を除いた部分の概略斜視図である。また、図２は、本発明の壁構造の断面図である。
【００１６】
図１に示すように、住宅１００は、基礎部９０の上に設けられた床の上に窓２やドア３などの開口部を有する壁１が構築されてなっている。また、図２に示すように、壁１は、外気に面する外壁材４と、外壁材４の内側に面して設けられた断熱材５と、断熱材５の室内側に設けられた第一内装材である壁面石膏ボード６と、壁面石膏ボード６のさらに室内側に壁面石膏ボード６から一定距離をあけて設けられた内装ボード７（第二内装材）とから構成されている。ここで、外装材４としては、モルタル、タイル貼り、窯業系サイディング等の周知の外装材が利用できる。また、断熱材５としては、グラスウール、ロックウール、セルロースファイバー等の繊維材料で形成された繊維状断熱材や、発泡ポリオレフィン（発泡ポリエチレン、発泡ポリプロピレン等）、発泡ポリウレタン、発泡スチレン系樹脂（発泡ポリスチレン等）、発泡ポリ塩化ビニル樹脂、発泡フェノール樹脂等の合成樹脂発泡体、また、ガラスやセメント系材料等の無機質発泡体等が利用できる。壁面石膏ボード６は周知の石膏ボードで形成されており、内装ボード７も、同様の石膏ボードその他の周知の内装材が各種利用できる。
【００１７】
断熱材５と壁面石膏ボード６との間には、断熱材５の室内側を外気に対して密閉するためにエアバリア８が張り巡らされている。図２に示すように、エアバリア８は、断熱材５と壁面石膏ボード６との間だけでなく、天井面の天井石膏ボード９と根太１０の間、床のフローリング１１と床下帳面材１２との間にも敷き詰められている。エアバリア８は、ビニルシート、ポリエチレンシート、金属シート、樹脂シート等の湿気の通過遮断性に優れ、気密性の高いシート材で構成され、断熱材５から外側と室内側との空気の対流、水蒸気の出入りを防いで、室内の気密性を保つ働きをしている。
【００１８】
壁面石膏ボード６と内装ボード７との間には、通気孔を持った周知の胴縁１３が設けられ、壁面石膏ボード６と内装ボード７との間は、数センチ程度の幅を有する空間となっている。この空間内には、電源コンセントやスイッチなどのボックスが取り付けられる。そして、室内にはケーブルのみが延設される。既に敷設されたエアバリア８の内側にボックス等を取り付けるため、ボックス部分の取り付けのためにエアバリア８を破って加工したり、気密テープで補修したりする必要がないので、気密性が確保される。また、内装ボード７の天井石膏ボード９近傍には上部通気孔である通気孔１４が、フローリング１１近傍には下部通気孔である通気孔１５が設けられ、壁面石膏ボード６と内装ボード７との間の空間は室内と通気される通気層１６となっている。
【００１９】
次に、図２及び図３を参照して、通気孔１４，１５とその近傍の構成について説明する。図３は、壁１の室内側から見た正面図である。図３に示すように、一般的な木造住宅において廻り縁が配設される部分に対応する位置、すなわち、内装ボード７の天井石膏ボード９近傍には、通気孔１４が複数箇所孔設されている。通気孔１４は、形状は特に限られないが、例えば、本実施の形態では縦約１．５センチ、横約２０センチの細い長円状に形成された開口である。そして、通気孔１４は、所定間隔、例えば数十センチ程度の間隔をおいて１つの壁面に複数箇所設けられている。通気孔１４の前方には、通気孔１４を目隠しするように、廻り縁１７が配設されている。廻り縁１７は、周知の住宅で用いられるものと同様に、天井近傍の内装ボード７の前面に張り巡らされている。
【００２０】
廻り縁１７は、木材や合板で形成された長尺状の周知のものであるが、通気孔１４からの空気の出入りを妨げないように、通気孔１４と室内とを連通する通気溝１８を有している。本実施の形態では、廻り縁１７は、図２に示すように、断面視Ｌ字状の上部廻り縁１７ａと、上部廻り縁１７ａに向かい合うように配置された断面視Ｌ字状の下部廻り縁１７ｂの２つから構成され、両者の間が通気溝１８となっている。また、上部廻り縁１７ａには、通気孔１４に対応する位置に廻り縁通気孔１７ｃが孔設され、通気孔１４と通気溝１８を連通している。上部廻り縁１７ａを配設する際には、廻り縁通気孔１７ｃを通気孔１４に合わせることにより位置決めすることができる。尚、上部廻り縁１７ａに廻り縁通気孔１７ｃを設けず、上部廻り縁１７ａの下縁が通気孔１４の上方にとどまるように形成して、上部廻り縁１７ａが通気孔１４を塞がないようにしてもよい。
【００２１】
室内の空気は通気溝１８から廻り縁通気孔１７ｃを経て通気孔１４に流入し、通気層１６に至る。また、通気層１６の空気は、通気孔１４から廻り縁通気孔１７ｃを経て通気溝１８を経由して室内に流入する。
【００２２】
一方、図３に示すように、一般的な木造住宅において巾木が配設される部分に対応する位置、すなわち、内装ボード７のフローリング１１近傍には、通気孔１５が複数箇所孔設されている。通気孔１５は、形状は特に限られないが、例えば、本実施の形態では、通気孔１４と同様に、縦約１．５センチ、横約２０センチの細い長円状に形成された開口である。そして、通気孔１５は、所定間隔、例えば数十センチ程度の間隔をおいて１つの壁面に複数箇所設けられている。通気孔１５の前方には、通気孔１５を目隠しするように、巾木１９が配設されている。巾木１９は、周知の住宅で用いられるものと同様に、床近傍の内装ボード７の前面に張り巡らされている。
【００２３】
巾木１９は、木材や合板で形成された長尺状の周知のものであるが、通気孔１５からの空気の出入りを妨げないように、通気孔１５と室内とを連通する通気溝２０を有している。本実施の形態では、巾木１９は、図２に示すように、断面視Ｌ字状の下部巾木１９ａと、下部巾木１９ａに向かい合うように配置された断面視Ｌ字状の上部巾木１９ｂの２つから構成され、両者の間が通気溝２０となっている。また、下部巾木１９ａには、通気孔１５に対応する位置に巾木通気孔１９ｃが孔設され、通気孔１５と通気溝２０を連通している。下部巾木１９ａを配設する際には、巾木通気孔１９ｃを通気孔１５に合わせることにより位置決めすることができる。尚、下部巾木１９ａに巾木通気孔１９ｃを設けず、下部巾木１９ａの上縁が通気孔１５の下方にとどまるように形成して、下部巾木１９ａが通気孔１５を塞がないようにしてもよい。
【００２４】
室内の空気は通気溝２０から巾木通気孔１９ｃを経由して通気孔１５に流入し、通気層１６に至る。また、通気層１６の空気は、通気孔１５から巾木通気孔１９ｃを経て通気溝２０を経由して室内に流入する。
【００２５】
尚、廻り縁１７や巾木１９の形状は、上記のものに限らず、種々の変形が可能である。要は、通気孔１４，１５を経由する空気の出入りを妨げないように通気溝１８，２０を有し、通気孔１４，１５を目隠しする形状であればよい。例えば、通気溝１８，２０は図３に示すような直線形でなく、曲線形状であってもよい。
【００２６】
以上の構造を有する壁１においては、従来から気密施工が不十分になりがちだった電源やスイッチなどのボックスを、壁面石膏ボード６と内装ボード７の間に空間を設けてこの空間内に配置し、エアバリア８により、断熱材５の室内側をしっかりと密閉している。従って、対流による室内と屋外の空気の流動が防止され、気密性・断熱性を高く保つことができる。また、前記空間と室内の温度差により空間内に結露が発生することを防止するため、内装ボード７の上部と下部に通気孔１４，１５を設け、前記空間を室内と通気する通気層１６とすることにより、室内との温度差が小さくなり、結露が防止される。さらに、従来から配設されている装飾部材である廻り縁１７及び巾木１９を、通気孔１４，１５を目隠しするように通気孔１４，１５の前方に配置したので、室内側からみても違和感を与えることがない。尚、本実施の形態の壁１は、従来の住宅の内装材を剥がしてエアバリア８を配設し、壁面石膏ボード６と内装ボード７、通気溝を備えた廻り縁１７及び巾木１９を配設することにより実現できるため、新規住宅のみならず、リフォームにより従来の住宅を簡単に高気密・高断熱住宅にすることができる。
【００２７】
次に、本発明の他の実施の形態について、図４及び図５を参照して説明する。図４は、他の実施の形態の壁５１の断面図であり、図５は、他の実施の形態の壁５１の室内側から見た正面図である。壁５１は、第一の実施の形態の壁１とほぼ同様の構成であるので、共通部分には図２及び図３と同一の符号を付し、説明を省略する。図４に示すように、内装ボード７の天井石膏ボード９近傍には、第一の実施の形態と同様に、通気孔１４が設けられ、内装ボード７のフローリング１１近傍には、下部通気孔である通気孔５５が設けられている。そして、壁面石膏ボード６と内装ボード７との間の空間は室内と通気される通気層１６となっている。
【００２８】
また、図５に示すように、通気孔１４及び廻り縁１７の構成は、第一の実施の形態と同様である。一方、通気孔５５も、第一の実施の形態と同様に、内装ボード７のフローリング１１近傍に長円状に開口され、１つの壁面に複数箇所設けられている。そして、通気孔５５を目隠しするように巾木５９が配設されている。巾木５９は、周知の住宅で用いられるものと同様に、床近傍の内装ボード７の前面に張り巡らされている。
【００２９】
巾木５９は、木材や合板で形成された長尺状の周知のものであり、巾木１９とは異なり、上下に分かれず、図４に示すように、断面視コの字状で、内部に溝６０を有している。そして、溝６０は、室内には連通せず、換気装置５２につながっている。この換気装置５２は、ホール（玄関・廊下）や洗面所等に設けられ、計画的に所定量の室内空気を吸気して屋外に排気するものである。室内の空気は通気溝１８から廻り縁通気孔１７ｃを経て通気孔１４に流入し、通気層１６に至る。また、通気層１６の空気は、通気孔５５から溝６０に流入し、溝６０がダクトとなって換気装置５２に空気が送り込まれ、室外に排気される。
【００３０】
尚、この実施の形態においては、下部通気孔である通気孔５５を換気装置５２に接続する構成としたが、上部通気孔を換気装置５２に接続し、下部通気孔を室内に連通させる構成としてもよい。この場合には、第一の実施の形態と同様に下部通気孔を通気孔１５とし、巾木１９を下部巾木１９ａと上部巾木１９ｂの２本構成とする。そして、廻り縁を断面視コの字状の溝を有する形状として、この溝を経由して通気層１６の空気が換気装置５２に送り込まれるように構成するとよい。
【００３１】
従って、第二の実施の形態の壁５１によれば、第一の実施の形態と同様に高気密・高断熱であるとともに、巾木５９から換気装置５２を介して給排気がなされるため、計画的に換気が行なわれるので、シックハウスに対する効果を有する。
【００３２】
【発明の効果】
上記説明から明らかなように、請求項１に記載の建造物の壁構造によれば、エアバリアにより断熱材の室内側が気密に保たれ、第一内装材と第二内装材との間の空間が、第二内装材に設けられた上部通気孔と下部通気孔によって室内に連通し、通気層となっている。従って、エアバリアにより断熱材の内側が密閉されて室内の高気密・高断熱が実現されるとともに、通気層により壁内結露の発生が防止される。そして、上部・下部の各通気孔は、装飾部材によって目隠しされるので、視覚的に自然にこのような効果が実現できる。
【００３３】
請求項２に記載の建造物の壁構造によれば、請求項１に記載の発明の効果に加え、上下の通気孔を目隠しする装飾部材に周知の廻り縁と巾木を用い、これらに通気孔及び室内と連通する通気溝を備えたので、さらに自然に、かつ使用部材の点数を増やすことなく、壁内結露を防止した高気密・高断熱住宅が実現できる。
【００３４】
請求項３に記載の建造物の壁構造によれば、請求項１に記載の発明の効果に加え、一方の通気孔が室内に連通するとともに、他方が換気装置に接続されるので、高気密・高断熱住宅において室内の空気が計画的に換気され、快適な住宅を提供できる。
【図面の簡単な説明】
【図１】本発明の一実施の形態の壁構造を有する住宅１００の屋根を除いた部分の概略斜視図である。
【図２】本発明の一実施の形態の壁１の断面図である。
【図３】壁１の室内側から見た正面図である。
【図４】本発明の他の実施の形態の壁５１の断面図である。
【図５】他の実施の形態の壁５１の室内側から見た正面図である。
【符号の説明】
１      壁
４      外壁材
５      断熱材
６      壁面石膏ボード
７      内装ボード
８      エアバリア
９      天井石膏ボード
１０      根太
１１      フローリング
１２      床下帳面材
１３      胴縁
１４      通気孔
１５      通気孔
１６      通気層
１７      廻り縁
１８      通気溝
１９      巾木
２０      通気溝
５１      壁
５２      換気装置
５５      通気孔
５９      巾木
６０      溝
【図１】
2004300709.tif 000003
【図２】
2004300709.tif 000004
【図３】
2004300709.tif 000005
【図４】
2004300709.tif 000006
【図５】
2004300709.tif 000007